(57)【特許請求の範囲】
【請求項１】
軸筒内にコイルスプリングにより軸筒後端方向に付勢されて配設した複数の筆記体と、前記軸筒の後端部に付設したクリップと、前記筆記体の筆記部を選択的に出没可能な操作体と、を具備した多芯筆記具において、前記軸筒の後部にネジ嵌合によって着脱自在に装着した頭冠に、前記筆記体の筆跡を変色又は消去するゴム状弾性を有する弾性部が外面に露出して設けられていて、前記弾性部は、前記軸筒の後端部に当接することを特徴とする多芯筆記具。
【請求項２】
前記クリップの後端部と弾性部との接線が、前記弾性部を下向き、且つ前記軸筒の軸線を紙面に対し垂直上としたときの前記紙面との角度が、４５度以上であることを特徴とする請求項１に記載の多芯筆記具。
【請求項３】
前記軸筒の後端部に形成した、長手方向に沿って延びる装着溝に、前記クリップを着脱自在に装着したことを特徴とする請求項１または２に記載の多芯筆記具。
【発明の詳細な説明】
【技術分野】
【０００１】
本発明は、軸筒内に複数の筆記体を収容した多芯筆記具に関する。
【背景技術】
【０００２】
従来から、スライド式の多芯筆記具として、例えば、一方の摺動体の隆起部を前軸の先端開口部方向にスライドすることにより、摺動体の後端部に形成した係止部を軸筒に形成した止め部に係止して、筆記体の筆記先端部を先端開口部から突出した状態を維持し、他方の摺動体の隆起部を前軸の先端開口部方向にスライドせしめることで、他方の摺動体の解除突起が一方の摺動体に当接するとともに、止め部に係止していた一方の摺動体の係止部を係脱させ、一方の筆記先端部を先端開口部より没入させ、さらに他方の摺動体を前進することにより他方の係止部が止め部に係止して筆記体の筆記先端部の突出状態を維持する、筆記先端部を選択して出没可能な出没機構を有する、ボールペンレフィル等、複数の筆記体を軸筒内に収容した構造のスライド式の多芯筆記具は良く知られている。こうした多芯筆記具において、ポケットなどへ挟着することを鑑みて、クリップを具備した多芯筆記具もよく知られている。
【０００３】
また、特開２００７−１６０６３４号公報「多芯筆記具」では、軸筒の後端に、ホルダーを設け、このホルダーに消しゴムなどの弾性部を着脱自在に装着した多芯筆記具が開示されている。
【先行技術文献】
【特許文献】
【０００４】
【特許文献１】特開２００７−１６０６３４号公報
【発明の開示】
【発明が解決しようとする課題】
【０００５】
しかし、前記した特許文献１など従来の多芯筆記具は、軸筒の軸心に対し、弾性部とクリップの接線の角度が大きいために、弾性部の使用時に、紙面とクリップが当接し易く、弾性部を使用する角度に制限を有し、弾性部を使用し難い問題があった。
【０００６】
こうした問題を鑑みて、弾性部とクリップの接線の角度を小さくするには、クリップの軸筒から外方に突出する突出量を小さくすること、クリップの後端と弾性部の先端との長手方向の距離を長くすることなどが考えられるが、前者は、クリップと軸筒との間隙が小さくなり、ポケットなど厚手のものを挟持し難く、後者は、筆記具全長が長くなるため筆記具としては使用しにくい構造となってしまう問題があった。
【０００７】
本発明の目的は、クリップを有する多芯筆記具において、軸筒後端部に設けた弾性部を使用し易く、且つ筆記しやすい多芯筆記具を簡単な構造で提供するものである。
【課題を解決するための手段】
【０００８】
上記目的を達成するために、本発明は、軸筒内に複数の筆記体をコイルスプリングにより軸筒後端方向に付勢して配設し、前記軸筒の後端部にクリップを付設するとともに、操作体を操作することにより、前記筆記体の筆記部を選択的に出没可能な多芯筆記具において、前記軸筒の後部に、頭冠を着脱自在に装着し、前記頭冠に、前記筆記体の筆跡を変色又は消去するゴム状弾性を有する弾性部を、外面に露出して設けたことを特徴とする。
【０００９】
また、前記クリップの後端部と弾性部との接線が、前記弾性部を下向き、且つ前記軸筒の軸線を紙面に対し垂直上としたときの前記紙面との角度が、４５度以上であることを特徴とする。
【００１０】
さらにまた、前記軸筒の後端部に、頭冠をネジ嵌合によって着脱自在に装着し、前記弾性部が、前記軸筒の後端部に当接することを特徴とする。
【００１１】
さらにまた、前記軸筒の後端部、且つ前記摺動溝と周方向の異なる位置に、長手方向に沿って延びる装着溝を形成し、前記軸筒の後端に、前記装着溝の後方と連通する開口部を設け、前記頭冠を取り外すことで、前記開口部から、前記クリップを着脱自在に装着可能としたことを特徴とする。
【００１２】
本願発明の請求項１の構成によれば、前記軸筒の後部に、頭冠を着脱自在に装着し、前記頭冠に、前記筆記体の筆跡を変色又は消去するゴム状弾性を有する弾性部を、外面に露出して設けることで、移動時には、頭冠を取り外すことができ、筆記具全長を短くすることができる。また、所望の頭冠に取り換えも可能となり、スクリーン印刷やフィルム転写等により、色や図形、模様など頭冠に加飾を施しやすい効果を奏する。
【００１３】
本願発明の請求項２の構成によれば、前記クリップの後端部と弾性部との接線が、前記弾性部を下向き、且つ前記軸筒の軸線を紙面に対し垂直状としたときの前記紙面との角度が、４５度以上、好ましくは５０度以上とすることで、ユーザーが弾性部を使用するときに、紙面とクリップとの接触を気にせずに使用することができる。
【００１４】
本願発明の請求項１の構成によれば、前記軸筒の後端部に、頭冠をネジ嵌合によって着脱自在に装着し、前記弾性部が、前記軸筒の後端部に当接することで、頭冠と軸筒とのネジの緩みを防止することができる効果を奏する。
【００１５】
本願発明の請求項４の構成によれば、前記軸筒の後端部、且つ前記摺動溝と周方向の異なる位置に、長手方向に沿って延びる装着溝を形成し、前記軸筒の後端に、前記装着溝の後方と連通する開口部を設け、前記頭冠を取り外すことで、前記開口部から、前記クリップを着脱自在に装着可能としてあるため、クリップ及び頭冠の装着前に、軸筒にスクリーン印刷やフィルム転写などの加飾を施しやすい効果を奏する。
【００１６】
尚、本発明のゴム状弾性を有する弾性部には、シリコーンゴム、オレフィン系やポリエステル系の熱可塑性エラストマー等、ゴム状弾性を有する弾性体を適宜用いることができる。また、弾性部は、頭冠と一体に形成又は別部材にて装着してあってもよい。
【発明の効果】
【００１７】
本発明は、クリップを有する多芯筆記具において、軸筒後端部に設けた弾性部を使用し易く、且つ筆記しやすい多芯筆記具を簡単な構造で提供することができた。
【図面の簡単な説明】
【００１８】
【図１】実施例１の多芯筆記具を示す縦断面図である。
【図２】図１におけるＡ−Ａ断面図である。
【図３】図１における頭冠及びクリップを取り外した状態を示す図である。
【図４】図３における頭冠及び弾性部を示す拡大図である。
【図５】図３における矢印Ｆ方向から見た外観図である。
【図６】弾性部を紙面に圧接した状態を示す外観図である。
【発明を実施するための最良の形態】
【００１９】
次に図面を参照しながら、本発明のスライド式の多芯筆記具の実施例を説明するが、本発明は以下の実施形態に限定されるものではない。
【００２０】
実施例１
図１〜図６に示す実施例１の多芯筆記具１は、前軸２の雄ネジ部２Ｂと後軸３の雌ネジ部３Ｅを螺合により取り付けられる軸筒本体内に複数本（３本）の筆記体が前後方向に移動可能に収容されている。筆記体９の後部には、筆記体９のインキ収容筒１０に収容した筆記具用インキと同色の摺動体６を配設してあり、筆記体９は、コイルスプリング１７により後方に付勢してあり、他の筆記体１３は、筆記体９と同様にして、筆記体１３の後部には、筆記体１３のインキ収容筒１４に収容した筆記具用インキと同色の摺動体２２を配設してある。摺動体２３を配設した、もう一方の筆記体は詳細は図示していないが、３本の筆記体を配設した従来から知られている出没機構のスライド式の多芯筆記具１である。
【００２１】
筆記体９について詳述すると、インキ収容筒１０の先端部に、φ０．５ｍｍのボールを回転自在に抱持したボールペンチップからなる筆記部１２を、チップホルダー１１を介して装着してある。また、インキ収容筒１０内には、平均粒径が５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の筆記具用水性インキと、このインキの後端に、グリース状のインキ追従体（図示せず）を直に収容してある。尚、インキ粘度は、ＥＭ型回転粘度計における１００ｒｐｍ、２０℃において、４０〜２００ｍＰａ・ｓとすることが好ましい。
【００２２】
後軸３の後部には、前後方向に延びる細長状の摺動溝３Ａ、３Ｂ、３Ｃが３本、形成してあり、互いに、１２０度間隔に形成される。また、摺動溝３Ａ、３Ｂ、３Ｃは、後方が開口していて、後軸３の後端で連通する開口部３ＡＡ、３ＢＡ、３ＣＡを有している。後軸３の後端部は略円筒状であって、後軸３の外面には予めフィルム転写を施してある。
【００２３】
また、後軸３の後部には、前後方向に延びる細長状の摺動溝３Ａ、３Ｂ、３Ｃが３本、形成してあり、互いに、１２０度間隔に形成される。後軸３の後端部の外面は略円筒状であって、後軸３の外面には予めフィルム転写を施してある。
【００２４】
後軸３内には、略円筒状のスプリング支持部７を固着している。スプリング支持部７は、筆記体９、１３等、３本の筆記体が挿通される内孔が軸方向に貫設し、スプリング支持部７と、各々の摺動体６間には、コイルスプリング１７が配置し、筆記体９及び摺動体６を後方に付勢してある。尚、図示はしていないが、他の摺動体も摺動体６と同様に、スプリング支持部７と、各々の摺動体間には、コイルスプリングが配置し、筆記体及び摺動体を後方に付勢してある。
【００２５】
また、後軸３の後部、且つ後軸３の摺動溝３Ｂ、３Ｃ間には、長手方向に沿って延びる凹状の装着溝３Ｄを形成してあり、この装着溝３Ｄにクリップ２０を付設してある。装着溝３Ｄは、後軸３の後端に開口部３ＤＡを有していて、開口部３ＤＡと装着溝３Ｄとが連通している。この装着溝３Ｄに、クリップ２０のクリップ片１９を装着するクリップ台１８を挿入し、後軸３の後方側から前軸２側に押し込むことで、クリップ台１８に設けた突起が、装着溝３Ｄに設けた突起との乗り越し嵌合によって、後軸３にクリップ台１８を着脱自在に付設してある。
【００２６】
また、後軸３の後部には、雄ネジ部３Ｆを設けてあり、この雄ネジ部３Ｆに、頭冠４の雌ネジ部４Ａをネジ嵌合によって着脱自在に装着してある。この頭冠４を取り外すことで、後軸３の後端を露出することができ、筆記具全長Ｌから筆記具全長Ｍに短くすることができる。また、頭冠４の外面には、フィルム転写によって加飾を施してある。
【００２７】
頭冠４には、ゴム状弾性を有する弾性部５が装着してある。具体的には、頭冠４に設けた嵌合突部４Ｂに、シリコーンゴムからなる弾性部５の突部５Ａを落とし込み嵌合によって、容易に抜けないように装着してある。また、頭冠４の螺着終了時には、弾性部５の先端部５Ｂは、後軸３に当接している。
【００２８】
筆記体８のボールペンチップからなる筆記部１１を前軸２の先端開口部２Ａから突出させるには、摺動体６の操作部６Ａを、摺動溝３Ａに沿って、前軸２の先端開口部２Ａ方向へスライドすることにより、摺動体６に形成した係合突起６Ｂが後軸３内に形成した係止部（図示せず）に係止して、筆記体９の筆記部１１を前軸の先端開口部２Ａから選択して突出を維持して、筆記することができる。また、弾性部５を筆記面Ｔに圧接し、擦ることで発生する熱によって、筆跡を変色させることができる。このとき、クリップ片１９の後端部と弾性部５との接線Ｓの角度αは、軸筒の軸線Ｊに対し４０度であった。
【００２９】
筆記体８の筆記部１１が前軸の先端開口部２Ａから突出を維持した状態で、他の摺動体２１の操作部２１Ａを前軸２の先端開口部２Ａ方向にスライドすることで、摺動体２０の解除突起が摺動体６の係止を解除し、コイルスプリング１７により筆記体８の筆記部１１を前軸２内に没入させることができる。
【００３０】
クリップ２０は、クリップ片１９を、クリップ台１８の外壁に設けられた支柱１８に連結し、クリップ片１９の内壁とクリップ台１８との間であって支柱１８Ａの後方に配設されるコイルスプリング２１によって、クリップ片１９の先端部の内壁を常時、クリップ台１８の外壁の外面に弾性的に反発させるとともに、クリップ片１９の後端部をクリップ台１８側へ押圧することにより連結部を支点としクリップ台１８に対しクリップ片１９の先端部の内壁をクリップ台１８から離間可能に配設してある。
【００３１】
頭冠４が後軸３の後端を閉鎖した状態から、後軸３と頭冠４のネジ嵌合３Ｃ、４Ａを外し、後軸３の後端を露出させる。摺動溝３Ｄは、後軸３の後端に開口部３ＤＡを有していて、開口部３ＤＡと摺動溝３Ｄとが連通しているので、この状態であればクリップ２０を取り出すことができる。また、摺動溝３Ａ、３Ｂ、３Ｃは、後軸３の後端に開口部３ＡＡ、３ＢＡ、３ＣＡを有しているため、頭冠４の装着前に、後軸３の後方から摺動体６、２２、２３の面積を多く視認することができ、誤った摺動体を配設することを抑制できる。
【００３２】
本実施例では、便宜上、ボールペンを３本配設してあるが、筆記体には、例えば、ボールペン、マーキングペン、シャープペンシル等が挙げられる。また、筆記体の本数は、２本以上であればよく、具体的には、２本、３本、４本、５本、６本等が挙げられる。
【００３３】
また、筆記具用インキも特に限定されるものではないが、粒子の平均の大きさが０．１〜３０μｍの顔料を含有し、前記ボールの縦方向のクリアランスが、３０〜８０μｍ、１００ｍ当たりのインキ消費量が、２００〜８００ｍｇとすることで、濃く良好な筆跡及び良好な筆感を得ることができる。これは、ボールの縦方向のクリアランスが３０μｍ未満では、粒子の平均の大きさが０．１〜３０μｍの顔料を有する筆記具用水性インキにおいて、１００ｍ当たりのインキ消費量が２００〜８００ｍｇのようなインキ消費量を多くすることが困難であるとともに、８０μｍを超えると、インキ消費量が多く、筆跡乾燥性が低下する恐れがあるため、３０から８０μｍとすることが最も好ましいためである。
【００３４】
また、クリップの形状も特に限定されないが、クリップが、クリップ片とクリップ台とからなり、クリップ台の先端部に、前記クリップ片に向かって突出する係止部を形成し、該係止部が、軸筒表面から突出することで、クリップ片とクリップ台との挟持力を高めることができるので好ましい。さらにまた、クリップが、クリップ片とクリップ台との間に配設したコイルスプリングによって、クリップ片の先端部を常時、クリップ台の外面に弾性的に圧接するとともに、クリップ片の後端部をクリップ台側へ押圧することにより、クリップ片とクリップ台との連結部を支点としクリップ台に対しクリップ片の内壁の先端部を軸筒から離間可能に配設してあるため、クリップ片とクリップ台との挟持力を高めることができ、クリップを取り外して使用することもできるので好ましい。
【００３５】
本実施例では、便宜上、スライド式多芯筆記具を例示しているが、回転操作により、筆記部を軸筒前端開口部から出没させる機構等、ノック式、スライド式、回転式等、特に限定されるものではない。
【００３６】
また本実施例では、便宜上、頭冠をネジ嵌合することで、軸筒の後端を開閉自在としてあるが、頭冠の装着方法は、軸筒後端部にヒンジ部を形成し、頭冠を軸筒に対し回動自在に配設するなど、特に限定されるものではないが、頭冠を軸筒後端部にネジ嵌合することで、組立性が良好となるので好ましい。
【産業上の利用可能性】
【００３７】
本発明の多芯筆記具は、インキの種類に限定されることなく、多芯筆記具として広く実施可能である。
【符号の説明】
【００３８】
１  多芯筆記具
２  前軸
２Ａ  先端開口部
３  後軸
３Ａ、３Ｂ、３Ｃ  摺動溝
３Ｄ  装着溝
３ＤＡ  開口部
３Ｆ  雄ネジ部
４  頭冠
４Ａ  雌ネジ部
５  弾性部
６、２２、２３  摺動体
６Ａ  操作部
７  スプリング支持部
９、１３  筆記体
１０、１４  インキ収容筒
１２、１６  筆記部
１７  コイルスプリング
１８  クリップ台
１９  クリップ片
２０  クリップ
【図１】
0005908233.tif 000002
【図２】
0005908233.tif 000003
【図３】
0005908233.tif 000004
【図４】
0005908233.tif 000005
【図５】
0005908233.tif 000006
【図６】
0005908233.tif 000007